(57)【要約】【課題】酸素濃縮装置の通常の動作や喫検知や報知の動作を、支障なく速やかに行うことができる酸素濃縮装置を提供すること。【解決手段】喫煙検知センサ部１４１によって、ＣＯ（及びＨＣ）、或いはＮＯｘの濃度を示す信号が得られた場合には、喫煙検知センサ部１４１からそのガス検知信号を、（本体用電子制御装置１１１とは別体に設けられた）喫煙用電子制御装置１４３に送り、喫煙用電子制御装置１４３では、喫煙検知センサ部１４１から送信されて受信したガス検知信号に基づいて喫煙の判定を行う。つまり、酸素濃縮ガスの生成等の動作を行う本体用電子制御装置１１１とは別に、喫煙の判定を行う喫煙用電子制御装置１４３を備えているので、本体用電子制御装置１１１に過度の負担をかけることなく、喫煙用電子制御装置１４３によって速やかに喫煙の判定を行うことができる。【選択図】図８
2015070911.tif 000002
【特許請求の範囲】
【請求項１】
空気中から酸素を濃縮して酸素濃縮ガスを生成し、この酸素濃縮ガスを使用者に対して供給する酸素濃縮装置において、
前記酸素濃縮装置に配置され、該酸素濃縮装置の酸素濃縮ガスの生成の動作を制御する本体用電子制御装置と、
喫煙に伴う現象を検知し、該現象を検知したことを示す信号を出力する喫煙検知手段と、
前記本体用電子制御装置とは別体に設けられ、前記喫煙検知手段からの前記信号を受信して、該信号に基づいて前記喫煙の判定を行う喫煙用電子制御装置と、
を備えたことを特徴とする酸素濃縮装置。
【請求項２】
前記喫煙用電子制御装置から前記本体用電子制御装置に対して、前記喫煙の判定結果を送信することを特徴とする請求項１に記載の酸素濃縮装置。
【請求項３】
前記喫煙検知手段と前記喫煙用電子制御装置とは、一体の喫煙検知装置として構成されていることを特徴とする請求項１又は２に記載の酸素濃縮装置。
【請求項４】
前記喫煙検知手段は、喫煙に伴って発生する複数のガスの検知を、各ガス１種又は複数種毎にそれぞれ行う複数のガス検知部を備えたことを特徴とする請求項１〜３のいずれか１項に記載の酸素濃縮装置。
【請求項５】
前記喫煙用電子制御装置は、喫煙検知手段の前記複数のガス検知部の少なくとも１種から、前記喫煙に伴うガスの検知を示す信号を受信した場合に、前記喫煙と判定することを特徴とする請求項４に記載の酸素濃縮装置。
【請求項６】
前記喫煙の判定結果を、無線を用いて、前記酸素濃縮装置とは別体の外部装置に送信することを特徴とする請求項１〜５のいずれか１項に記載の酸素濃縮装置。
【発明の詳細な説明】
【技術分野】
【０００１】
本発明は、例えば、酸素より窒素を優先的に吸着する吸着剤を用いて生成した高濃度の酸素（酸素濃縮ガス）を患者等に供給する酸素濃縮装置に関するものである。
【背景技術】
【０００２】
近年、呼吸器系疾患の最も効果的な治療法の一つとして、酸素吸入療法が知られている。この酸素吸入療法とは、酸素ガス或いは酸素濃縮ガスを患者に供給する方法であり、その供給源として、最近では、空気中から酸素濃縮ガスを直接分離できる酸素濃縮装置が開発されている。
【０００３】
かかる酸素濃縮装置としては、例えば窒素又は酸素を選択吸着して得られる吸着剤を用いた吸着型酸素濃縮装置が知られており、この吸着型酸素濃縮装置としては、例えばコンプレッサを用いた圧力変動吸着型酸素濃縮装置が使用されている。
【０００４】
この種の酸素濃縮装置においては、例えば装置本体に接続されたカニューラを、患者の鼻等に取り付けることにより、患者に酸素濃縮ガスを供給しているが、カニューラによって供給する酸素濃縮ガスの酸素濃度が高いので（例えば９５体積％）、患者や同居人の喫煙などによって、火災や火傷等の事故が発生している。
【０００５】
この対策として、煙センサ、匂いセンサ、赤外線センサを用いて煙（喫煙）を検知し、煙を検知した場合に警報を発する技術が提案されている（特許文献１参照）。また、温度又は煙を検知するセンサを備え、その検出結果に応じて酸素供給を停止する技術が提案されている（特許文献２参照）。
【０００６】
更に、喫煙をＣＯセンサや光学センサによって検知する技術も提案されている（特許文献３参照）、また、無線ＬＡＮやＢｌｕｅｔｏｏｔｈ（登録商標）等の通信ネットワークに接続して、酸素濃縮装置に関する各種のデータを送受信する技術が提案されている（特許文献４参照）。
【先行技術文献】
【特許文献】
【０００７】
【特許文献１】特開２００１−３１４５０７号公報
【特許文献２】特開２０１３−６６５２８号公報
【特許文献３】特開２０１２−２００２８４号公報
【特許文献４】特開２０１３−１３２３５９号公報
【発明の概要】
【発明が解決しようとする課題】
【０００８】
しかしながら、上述した従来技術では、煙（喫煙）検知にどのようなセンサを用いた場合でも、センサからの出力信号を酸素濃縮装置内部に設けられた電子制御装置によって受信し、その電子制御装置の演算処理装置（ＣＰＵ）によって信号の処理を行って喫煙の判定及び報知を行う必要があるので、ＣＰＵに負担がかかるという問題があった。
【０００９】
つまり、酸素濃縮装置のＣＰＵでは、通常、酸素濃縮ガスの生成のための処理等の各種の処理を行っているので、更に、センサからの信号を処理して喫煙の判定を行うと、ＣＰＵの演算処理に負担がかかって、酸素濃縮ガスの生成のための処理等が遅くなったり、喫煙の判定や報知の処理が遅くなるという問題があった。
【００１０】
特に、従来知られている各種センサは、検知対象である煙以外の、例えば環境変化にも反応することがあり、精度良く喫煙を検知するためには、センサからの信号を基にした喫煙判定を工夫する必要があった。従って、精度良く喫煙検知を行うためには、ＣＰＵの演算処理に負担がかかるという問題があった。
【００１１】
本発明は、上述した課題を解決するためになされたものであり、その目的は、酸素濃縮装置の通常の動作及び喫煙の検知や報知の動作を、支障なく速やかに行うことができる酸素濃縮装置を提供することにある。
【課題を解決するための手段】
【００１２】
（１）本発明は、第１態様として、空気中から酸素を濃縮して酸素濃縮ガスを生成し、この酸素濃縮ガスを使用者に対して供給する酸素濃縮装置において、前記酸素濃縮装置に配置され、該酸素濃縮装置の酸素濃縮ガスの生成の動作を制御する本体用電子制御装置と、喫煙に伴う現象を検知し、該現象を検知したことを示す信号を出力する喫煙検知手段と、記本体用電子制御装置とは別体に設けられ、前記喫煙検知手段からの前記信号を受信して、該信号に基づいて前記喫煙の判定を行う喫煙用電子制御装置と、を備えたことを特徴とする。
【００１３】
本第１態様では、喫煙検知手段によって、喫煙に伴う現象（例えば喫煙によって発生するガス）を検知した場合には、（本体用電子制御装置とは別体に設けられた）喫煙用電子制御装置によって、喫煙検知手段からの信号（例えばガス検知信号）を受信し、喫煙の判定を行う。
【００１４】
つまり、本第１態様では、酸素濃縮ガスの生成等の動作を行う本体用電子制御装置とは別に、（喫煙検知手段からの信号に基づいて）喫煙の判定を行う喫煙用電子制御装置を備えているので、本体用電子制御装置に過度の負担をかけることなく、喫煙用電子制御装置によって速やかに喫煙の判定を行うことができる。
【００１５】
従って、本第１態様では、酸素濃縮装置の酸素濃縮ガスの生成等の通常の動作及び喫煙の検知や報知の動作を、支障なく速やかに行うことができるという顕著な効果を奏する。
また、喫煙用電子制御装置が故障した場合には、喫煙用電子制御装置のみを取り替えれば良いという利点があり、更に、喫煙検知手段として検知精度を向上させたセンサ等に変更した場合には、その変更に対応する調整を喫煙用電子制御装置にて容易に行うことができるという効果がある。
【００１６】
（２）本発明では、第２態様として、喫煙用電子制御装置から本体用電子制御装置に対して、喫煙の判定結果（例えば喫煙検知信号）を送信することを特徴とする。
従って、喫煙用電子制御装置から喫煙の判定結果を受信した本体用電子制御装置では、喫煙の検知を示す警報を発したり、その内容を外部装置に送信することができる。
【００１７】
（３）本発明では、第３態様として、前記喫煙検知手段と前記喫煙用電子制御装置とは、一体の喫煙検知装置（１つのモジュール）として構成されていることを特徴とする。
これにより、喫煙検知装置をコンパクトに構成でき、各種の酸素濃縮装置に容易に取り付けることができる。
【００１８】
（４）本発明では、第４態様として、前記喫煙検知手段は、喫煙に伴って発生する複数のガスの検知を、各ガス１種又は複数種毎にそれぞれ行う複数のガス検知部を備えたことを特徴とする。
【００１９】
ガス検知部として、例えばＣＯ、ＨＣ、ＮＯｘ等をそれぞれ検知できる素子を用いる場合には、各素子からの信号に基づいて、喫煙の検知を容易に行うことができる。
なお、各ガスをそれぞれ個別に検出できる素子を使用してよく、或いは一つの素子で複数のガス（例えばＣＯ及びＨＣ）を検出できる素子を用いてよい。
【００２０】
（５）本発明では、第５態様として、前記喫煙用電子制御装置は、喫煙検知手段の前記複数のガス検知部の少なくとも１種から、前記喫煙に伴うガスの検知を示す信号を受信した場合に、前記喫煙と判定することを特徴とする。
【００２１】
本第５態様では、複数のガス検知部のいずれか１種から、喫煙に伴って発生するガスの検知を示す信号が得られた場合に、喫煙と判定することにより、喫煙の可能性がある場合には喫煙と判定を行うことができる。つまり、喫煙を見逃し難いという利点がある。
【００２２】
なお、複数のガス検知部から、喫煙に伴うガスの検知を示す信号が得られた場合に喫煙と判定することにより、精度良く（確実に）喫煙の判定を行うことができる。
（６）本発明では、第６態様として、前記喫煙の判定結果を、無線を用いて、前記酸素濃縮装置とは別体の外部装置に送信することを特徴とする。
【００２３】
本第６態様では、喫煙の判定結果を、無線を用いて外部装置に送信するので、酸素濃縮装置とは異なる場所に（酸素濃縮装置を管理する）管理者等がいる場合でも、管理者等は喫煙に関する情報を確実に把握することができる。
【図面の簡単な説明】
【００２４】
【図１】実施例の酸素濃縮装置の外観を示す説明図である。
【図２】実施例の酸素濃縮装置の操作パネルを示す説明図である。
【図３】実施例の酸素濃縮装置の基本構成を示す説明図である。
【図４】実施例の酸素濃縮装置の電子制御装置の電気的構成を示す説明図である。
【図５】実施例の酸素濃縮装置と外部装置との通信を示す説明図である。
【図６】喫煙検出装置の構成を示す説明図である。
【図７】喫煙検出装置から本体用電子制御装置に対して出力される信号を示すグラフである。
【図８】喫煙用電子制御装置にて行われる処理を示すフローチャートである。
【図９】本体用電子制御装置にて行われる処理を示すフローチャートである。
【発明を実施するための形態】
【００２５】
以下、本発明の実施形態の例（実施例）について説明する。
【実施例】
【００２６】
本実施例では、空気中から窒素吸着剤（以下吸着剤と記す）を用いて窒素を吸着して除去することにより酸素を濃縮し、この高濃度の酸素を含む酸素濃縮ガスを患者に対して供給する圧力変動吸着型の医療用酸素濃縮装置（以下酸素濃縮装置と記す）を例に挙げる。
【００２７】
ａ）まず、本実施例の酸素濃縮装置の外観について説明する。
図１に示す様に、酸素濃縮装置１は、略直方体形状の装置本体３を備えており、装置本体３の正面の上部には、酸素濃縮装置１の操作やその動作の表示を行う操作パネル５が設けられ、その下方には、酸素濃縮ガスの加湿を行う加湿器７が配置されている。
【００２８】
また、加湿器７の近傍には、酸素濃縮ガスを装置本体３側からに患者に供給するために、カニューラ（図示せず）が接続されるカニューラ接続部１１が設けられている。
図２に示す様に、操作パネル５には、酸素濃縮装置１の運転／停止を行うための電源スイッチ１７と、正常運転時に点灯する運転ランプ１９と、異常発生時に点灯／点滅する異常ランプ２１と、酸素濃縮ガスの流量の設定値をマニュアルにて切り換える流量設定つまみ２３と、設定された流量値を示す流量表示器２５と、酸素濃縮装置１の使用開始からの積算時間を表示する外部積算時間表示器２７と、酸素濃縮ガスの濃度の状態を点灯／点滅により表示する酸素濃度ランプ２９と、加湿器７の異常を点灯して表示する加湿器漏れランプ３１と、カニューラ９の折れの異常を点灯して表示するカニューラ折れランプ３３と、酸素濃縮ガスの流れの状態を表示する流れ表示ランプ３５とが設けられている。
【００２９】
ｂ）次に、本実施例の酸素濃縮装置１の内部構成について説明する。
図３に示す様に、装置本体３内には、空気取入口４１及び防塵フィルタ４２を介して周囲の空気が導入され、導入された空気は、吸気フィルタ４３及び吸気マフラ４４を介してコンプレッサ４５に吸入される。
【００３０】
また、後に詳述するが、防塵フィルタ４２と吸気フィルタ４３との間の空気の流路（内部ガス流路）４７には、周囲から取り入れられる空気から喫煙を検知する喫煙検知装置４９が設けられている。
【００３１】
コンプレッサ４５は、モータ５１の回転により、吸入空気を圧縮して高圧空気を生成し、生成された高圧空気は、チェック弁５３、５５、供給弁（第１供給弁５７、第２供給弁５９）を介して、一対の吸着筒（第１吸着筒６１、第２吸着筒６３）に供給される。
【００３２】
供給弁５７、５９から吸着筒６１、６３に至る高圧空気の供給経路には、それぞれ排気
弁（第１排気弁６５、第２排気弁６７）が接続されており、排気弁６５、６７の開弁時には、各吸着筒６１、６３を大気に開放できる。
【００３３】
吸着筒６１、６３には、空気中の窒素を優先的に吸着して酸素を分離するゼオライト系の吸着剤が充填されている。そして、排気弁６５、６７が閉弁状態にあるとき、チェック弁５３、５５及び供給弁５７、５９を介して、コンプレッサ４５から高圧空気が供給されると、その空気中から窒素を吸着して酸素濃縮ガスを生成し、酸素濃縮ガスをチェック弁７９、８１を介して製品タンク８３側に送出する。
【００３４】
なお、吸着筒６１、６３からチェック弁７９、８１に至る酸素濃縮ガスの吐出経路には、両吸着筒６１、６３の吐出側を連通する連通路８５が設けられ、その連通路８５には、オリフィス８７、８９を介して電磁弁からなるパージ弁９１が設けられている。
【００３５】
また、製品タンク８３の下流側には、酸素濃縮ガスの圧力を調節する圧力調節器９３が設けられ、圧力調節器９３で調圧された酸素濃縮ガスは、流量設定器９５によって流量が設定された後に、加湿器７まで送られ、加湿器７にて加湿された後、カニューラ接続部１１に供給される。
【００３６】
更に、酸素濃縮ガスの排出経路には、酸素濃縮ガスの酸素濃度を検出する酸素センサ９９と、酸素濃縮ガスの流量を検出する流量センサ１０１が設けられている。
また、装置本体３には、上述した酸素濃縮装置１における酸素濃縮ガスの生成の動作等を制御するために本体用電子制御装置１１１が配置されている。
【００３７】
ｃ）次に、前記本体用電子制御装置１１１及び喫煙検知装置４９について説明する。
図４に示す様に、本実施例では、本体用電子制御装置１１１は、周知の中央演算処理装置（ＣＰＵ）１１３、ＲＯＭ１１５、ＲＡＭ１１７等を備えたマイクロコンピュータ（マイコン）によって構成されている。
【００３８】
また、本体用電子制御装置１１１の入力部１１９には、電源スイッチ１７、酸素センサ９９、流量センサ１０１、喫煙検知装置４９などが接続されている。
一方、本体用電子制御装置１１１の出力部１２１には、ブザー（又はスピーカ）１２３、運転ランプ１９、異常ランプ２１、流量表示器２５、外部積算時間表示器２７、酸素濃度ランプ２９、加湿器漏れランプ３１、カニューラ折れランプ３３、流れ表示ランプ３５が接続され、更に、モータ５１、供給弁５７、５９、排気弁６５、６７、パージ弁９１、通信装置１２５が接続されている。
【００３９】
なお、この通信装置１２５は、図５に示すように、無線ＬＡＮやＢｌｕｅｔｏｏｔｈ（登録商標）、更には公衆通信回線（例えばインターネット）１２９を利用して、各種の外部装置（例えばサーバー１３１や携帯端末１３３）と、無線又は有線によって通信が可能な装置である。
【００４０】
図６に示す様に、喫煙検知装置４９は、喫煙に伴って発生するガスを検知する（喫煙検知手段である）喫煙検知センサ部１４１と、喫煙検知センサ部１４１からの（喫煙に伴うガスの発生を示す）ガス検知信号に基づいて喫煙を検知する（即ち喫煙の有無を判定する）喫煙用電子制御装置１４３とを備えている。
【００４１】
喫煙用電子制御装置１４３は、本体用電子制御装置１１１と同様に、周知のＣＰＵ１４５、ＲＯＭ１４７、ＲＡＭ１４９等を備えたマイクロコンピュータ（マイコン）によって構成されている。
【００４２】
喫煙検知センサ部１４１は、還元ガスを検知するＧ素子１５１と、酸化ガスを検知するＤ素子１５３と、各素子１５１、１５３を加熱する各ヒータ１５５、１５７と、各素子１５１、１５３からの信号を補正する各信号補正回路１５９、１６１と、各信号補正回路１５９、１６１からのアナログ信号をデジタル信号に変換する各Ａ／Ｄコンバーター１６３、１６５などを備えている。
【００４３】
なお、喫煙用電子制御装置１４３へは、本体１２Ｖ電源（図示せず）から５Ｖ電源１６７を介して５Ｖの電圧の電力が供給され、ヒータ１５５、１５７へは、５Ｖ電源１６７から抵抗分圧回路１６９を介して所定の電圧の電力が供給される。
【００４４】
前記Ｇ素子１５１は、ＣＯ及びＨＣの存在を自身の抵抗の変化によって検知する素子である。詳しくは、Ｇ素子１５１は、酸化物半導体（ＳｎＯ２）粒子表面に吸着している酸素がＣＯやＨＣにより消費され、空間電荷層が薄くなり、その結果、粒子間を電子が移動し易くなって抵抗値が低下する特性を有する。従って、ＣＯやＨＣの濃度が増加した場合に低下する抵抗値の変化によって、ＣＯやＨＣを検知することができる。なお、Ｇ素子１５１においては、ＣＯとＨＣは区別されないので、ここでは、ＣＯ及びＨＣの合計量の濃度に対応した信号が出力される。
【００４５】
前記Ｄ素子１５３は、ＮＯｘの存在を自身の抵抗の変化によって検知する素子である。詳しくは、Ｄ素子１５３は、酸化物半導体（Ｖ２Ｏ３）粒子表面にＮＯｘが負電荷吸着して、空間電荷層が厚くなり、その結果、粒子間の電子の移動が妨げられて抵抗値が増加する特性を有する。従って、ＮＯｘの濃度が増加した場合に増加する抵抗値の変化によってＮＯｘ（即ちＮＯｘの濃度）を検知することができる。
【００４６】
ここで、前述のＧ素子１５１、Ｄ素子１５３の抵抗値は、所定ガス以外にも、環境（温度・湿度）の影響や、素子自身の劣化の影響等により変化することがある。そこで、本実施例では、各素子１５１、１５３からの信号を補正する各信号補正回路１５９、１６１を設け、所定ガス以外の影響を低減している。
【００４７】
このように、喫煙検知装置４９は、上述したＧ素子１５１とＤ素子１５３を備えているので、Ｇ素子１５１やＤ素子１５３の抵抗値変化に基づいて、ＣＯ、ＨＣ、ＮＯｘの検知ができる。
【００４８】
詳しくは、喫煙用電子制御装置１４３では、Ｇ素子１５１及びＤ素子１５３の少なくとも一方の抵抗値が、各素子１５１、４５３が検知するガスの存在を示すレベルであった場合には、喫煙の可能性が高いと判断して、喫煙の検知を示す出力信号（喫煙検知信号）を、本体用電子制御装置１１１に（通信線を介して）送信するように構成されている。
【００４９】
なお、喫煙を検知しない場合には、喫煙検知装置４９から本体用電子制御装置１１１へは、図７（ａ）に示す様に、所定のデューティ比の信号が送信されるが、喫煙を検知した場合には、図７（ｂ）に示す様に、信号のデューティ比を変更する（例えばハイレベルの信号のデューティ比を増加させる）。従って、例えばデューティ比が増加した信号が喫煙検知信号である。
【００５０】
ｄ)次に、本体用電子制御装置１１１と喫煙用電子制御装置１４３により行われる処理について説明する。
本実施例では、喫煙用電子制御装置１４３にて、喫煙の検知の処理のみを行い、その他の酸素濃縮ガスの生成の動作や各種の表示や警報等の処理は本体用電子制御装置１１１にて行っている。
【００５１】
まず、酸素濃縮装置１の電源がＯＮされると、例えばコンプレッサ４５の駆動などのように、酸素濃縮装置１における通常の酸素濃縮ガスを生成する動作が開始される。
また、喫煙検知装置４９では、喫煙を検知するための動作が開始される。具体的には、ヒータ１５５、１５７に通電し、Ｇ素子１５１、Ｄ素子１５３によるガス検知が可能なように加熱する動作が行われる。
【００５２】
＜喫煙用電子制御装置１４３での処理＞
喫煙用電子制御装置１４３では、図８のフローチャートに示す様に、ステップ（Ｓ）１００では、喫煙検知センサ部１４１から喫煙に伴って発生するガスが検知されたか否かを判定する。
【００５３】
具体的には、各素子１５１、１５３からの信号を補正する各信号補正回路１５９、１６１と、各信号補正回路１５９、１６１からのアナログ信号をデジタル信号に変換するＡ／Ｄコンバーター１６３、１６５とを通じて喫煙用電子制御装置１４３に入力されるＧ素子１５１及びＤ素子１５３の抵抗値を示すデジタル信号を基に、ＣＯ、ＨＣ、ＮＯｘの少なくとも何れかのガスが所定濃度以上存在するか否かを判定する。
【００５４】
例えば、Ｇ素子１５１の抵抗値を示す信号（デジタル信号）が、所定のＣＯ濃度（及びＨＣ濃度）（例えば５万ｐｐｍ）に相当する所定閾値以上の状態が、所定時間（例えば５秒）以上継続したか否かを判定する。
【００５５】
ここで肯定判断されると、所定のＣＯ濃度（及びＨＣ濃度）の存在が検知され（ステップ１１０）、ステップ１３０に進む。一方否定判断されると、所定のＣＯ濃度（及びＨＣ濃度）の検知がクリアされ（ステップ１２０）、次のステップ１３０に進む。
【００５６】
ステップ１３０では、Ｄ素子１５３の抵抗値を示す信号（デジタル信号）が、所定のＮＯｘ濃度（例えば５万ｐｐｍ）に相当する所定閾値以上の状態が、所定時間（例えば５秒）以上継続したか否かを判定する。
【００５７】
ここで肯定判断されると、所定のＮＯｘ濃度の存在が検知され（ステップ１４０）、ステップ１６０に進む。一方否定判断されると、所定のＮＯｘ濃度の検知がクリアされ（ステップ１５０）、次のステップ１６０に進む。
【００５８】
ステップ１６０では、ＣＯ濃度（及びＨＣ濃度）、或いはＮＯｘ濃度が、所定の判定値以上の状態が所定時間以上継続しているか否かを判定する。
ここで肯定判断されると、すなわち患者が喫煙している状態であると判定されると、そのことを報知するために、ステップ１７０にて、喫煙検知装置４９から本体用電子制御装置１１１への出力信号を変更する。具体的には、前記図７（ｂ）に示す様に、出力信号のデューティ比を増加させる（喫煙検知信号を送信する）。一方否定判断されると、喫煙を検知しない所定のデューティ比の信号を出力する。
【００５９】
＜本体用電子制御装置１１１での処理＞
一方、本体用電子制御装置１１１では、図９のフローチャートに示す様に、ステップ２００では、喫煙検知装置４９から喫煙検知を示す信号（喫煙検知信号）が入力されたかを判定する。
【００６０】
具体的には、喫煙検知装置４９から送信される信号のデューティ比が増加したか否かを判定する。
ここで肯定判断されるとステップ２１０に進み、一方否定判断されると一旦本処理を終了する。
【００６１】
ステップ２１０では、喫煙検知信号が入力したので、患者が喫煙している状態と判断して、そのことを酸素濃縮装置１の周囲の人に報知するために、例えばブザー１２３を鳴らしたり（或いは音声で「禁煙」を警告したり）、異常ランプ２１を点滅させたりする。
【００６２】
また、同時に、通信装置１２５を利用して、サーバー１３１や（管理担当者等の）携帯端末１３３に、喫煙を検知したことの情報を送信する。なお、この情報の送信の際には、酸素濃縮装置１の設置場所、使用者、日時等の情報も送信する。
【００６３】
なお、本実施例では、喫煙を検知した場合でも、酸素濃縮ガスの生成や供給の動作を停止することなく継続する。
また、喫煙を検知した場合には、その喫煙を検知した旨とその日時のデータを、本体用電子制御装置１１１に接続された図示しないメモリ（例えばＥＥＰＲＯＭ等の不揮発性メモリ）に記憶する。なお、管理者等は、後日、このメモリから喫煙の検知に関する情報を取り出すことができる。
【００６４】
ｅ)次に、本実施例の効果について説明する。
本実施例では、喫煙検知センサ部１４１によって、ＣＯ（及びＨＣ）、或いはＮＯｘの濃度を示す信号（ガス検知信号）が得られた場合には、喫煙検知センサ部１４１からそのガス検知信号を、（本体用電子制御装置１１１とは別体に設けられた）喫煙用電子制御装置１４３に送り、喫煙用電子制御装置１４３では、喫煙検知センサ部１４１から送信されて受信したガス検知信号に基づいて喫煙の判定を行っている。
【００６５】
つまり、酸素濃縮ガスの生成等の動作を行う本体用電子制御装置１１１とは別に、喫煙の判定を行う喫煙用電子制御装置１４３を備えているので、本体用電子制御装置１１１に過度の負担をかけることなく、喫煙用電子制御装置１４３によって精度良く速やかに喫煙の判定を行うことができる。
【００６６】
従って、酸素濃縮装置１の酸素濃縮ガスの生成等の通常の動作及び喫煙の検知や報知の動作を、支障なく速やかに行うことができるという顕著な効果を奏する。
また、喫煙検知装置４９が故障した場合には、喫煙検知装置４９のみを取り替えれば良いという利点があり、更に、喫煙検知センサ部１４１にて検知精度を向上させたセンサ等に変更した場合には、その変更に対応する調整を喫煙用電子制御装置１４３にて容易に行うことができるという効果がある。
【００６７】
しかも、本実施例では、喫煙用電子制御装置１４３から本体用電子制御装置１１１に対して、喫煙の判定結果（喫煙検知信号）を送信するので、その判定結果を受信した本体用電子制御装置１１１では、喫煙の検知を示す警報を発したり、その内容をサーバー１３１や携帯端末１３３に送信することができる。
【００６８】
また、本実施例では、喫煙検知センサ部１４１と喫煙用電子制御装置１４３とは、一体の喫煙検知装置４９として構成されているので、装置構成をコンパクトにでき、よって、各種の酸素濃縮装置１に容易に取り付けることができる。ここで、一体の喫煙検知装置４９として構成されるとは、例えば、喫煙検知センサ部１４１と喫煙用電子制御装置１４３とが一つのケースに納められ、取り外し可能にモジュール化されていることをいう。
【００６９】
更に、本実施例では、喫煙検知センサ部１４１は、喫煙に伴って発生するＣＯ、ＨＣ、ＮＯｘのガスの検知を行う複数の素子（Ｇ素子１５１、Ｄ素子１５３）を備えているので、喫煙の可能性がある場合には速やかに喫煙と判定を行うことができる。つまり、喫煙を見逃し難いという利点がある。
【００７０】
また、本実施例では、喫煙の判定結果を、無線を用いてサーバー１３１や携帯端末１３３に送信するので、酸素濃縮装置１とは異なる場所に（酸素濃縮装置１を管理する管理者（例えば販売業者等の担当者）等がいる場合でも、喫煙に関する情報を確実に把握することができる。
【００７１】
尚、本発明は前記実施例になんら限定されるものではなく、本発明の要旨を逸脱しない範囲において種々の態様で実施しうることはいうまでもない。
（１）例えば通信装置を備えない構成であって、外部装置の送信を行わない構成としてもよい。
【００７２】
（２）酸素濃縮装置としては、圧力変動吸着型以外に、各種の酸素濃縮装置が挙げられる。
（３）前記実施例では、Ｇ素子又はＤ素子のいずれかから喫煙に伴うガスの発生を示す信号が入力された場合に喫煙であると判定しているが、Ｇ素子及びＤ素子の両方から喫煙に伴うガスの発生を示す信号が入力された場合に喫煙であると判定してもよい。これにより、喫煙を検知する精度が向上する。
【００７３】
（４）前記実施例では、Ｇ素子又はＤ素子の抵抗値を所定閾値と比較したが、抵抗値変化量を閾値としてもよい。つまり、各素子の抵抗値変化量を所定の（抵抗値変化量の）閾値と比較することによって、ガス検知を行ってもよい。これにより、所定ガス以外の影響により抵抗値が変化する場合の誤検知を低減でき、喫煙を検知する精度が向上する。
【００７４】
（５）前記実施例では、Ｇ素子又はＤ素子の抵抗値が所定閾値以上の状態が所定時間以上継続した場合にガスを検知としたが、所定時間の継続を待たずにガスを検知としてもよい。これにより、喫煙をより早く検知することができる。
【符号の説明】
【００７５】
１…酸素濃縮装置
４９…喫煙検知装置
１１１…本体用電子制御装置
１３１…サーバー
１３３…携帯端末
１４１…喫煙検知センサ部
１４３…喫煙用電子制御装置
１５１…Ｇ素子
１５３…Ｄ素子
【図１】
2015070911.tif 000003
【図２】
2015070911.tif 000004
【図３】
2015070911.tif 000005
【図４】
2015070911.tif 000006
【図５】
2015070911.tif 000007
【図６】
2015070911.tif 000008
【図７】
2015070911.tif 000009
【図８】
2015070911.tif 000010
【図９】
2015070911.tif 000011